(57)【要約】【課題】ラックを形成するパネル自体に放熱機能を付与させることによって通気孔や換気扇を設けることなく効果的にラック内部の熱を外部に放散することができるサーバーラックを提供する。【解決手段】正面パネル１、背面パネル２並びに左右側面パネル３，４が天板５及び台板６と共に内部密閉状に立方体に組み付けられ、内部にラック９が組み込まれたサーバーラックであって、前記各パネル１，２，３，４がその外表面に多数の放熱フインＡを備えた軽金属板材で形成され、少なくとも正面パネル１が隣接する左右側面パネル３，４の何れか一方に対してヒンジ部材８を介して縦軸の周りで回動可能に連結されて実質的な扉を形成している構造とした。これにより、内部に収納されたコンピュータや周辺機器から発生する熱は各パネルに形成された放熱フインＡから外部に放散され、サーバーラック内の温度上昇を効果的に抑えることができるようにした。【選択図】　　　　図１
2004079851.tif 000002
【特許請求の範囲】
【請求項１】
正面パネル（１）、背面パネル（２）並びに左右側面パネル（３），（４）が天板（５）及び台板（６）と共に内部を密閉とした状態で立方体状に組み付けられ、内部にラック（９）が組み込まれて使用されるサーバーラックであって、前記各パネル（１），（２），（３），（４）がその外表面に多数の放熱フイン（Ａ）を備えた軽金属板材で形成され、少なくとも正面パネル（１）が隣接する左右側面パネル（３），（４）の何れか一方に対してヒンジ部材（８）を介して縦軸の周りで回動可能に連結されて実質的な扉を形成しているサーバーラック。
【請求項２】
前記各パネル（１），（２），（３），（４）がアルミ引抜き材で形成され、左右両端部にコーナー部材（７）やヒンジ部材（８）に着脱自在に嵌合連結する連結部（Ｂ）…を備えている請求項１に記載のサーバーラック。
【発明の詳細な説明】
【０００１】
【発明が属する技術分野】
本発明はメインコンピュータやメモリー機器等を収納する大型の密閉式サーバーラックに関するものである。
【０００２】
【従来の技術】
近年、コンピュータの汎用化に伴って、一事業体における共有のデーター管理を大容量のメインコンピュータに集約させ、デスク上にある各自の出力装置でメインコンピュータのデーターを利用するシステムが多く採用されている。このメインコンピュータは通常メモリー機器や周辺機器と共に堅固なサーバーラックに収納され部外者が容易にタッチできないように遮断されている。また内部は埃が入らないように密閉構造となっている。
【０００３】
【発明が解決しようとする課題】
この従来の密閉式サーバーラックは、左右側面パネルや正面パネル並びに背面パネルが天板と共に組み付けられている。また内部の熱は通気孔から逃がしたり、換気扇を設けて強制的に外部に放熱している。しかし、通気孔をあまり大きくすると密閉効果が薄れて埃が入り易くなるのでその大きさには限界があり、また換気扇の場合でも大型のものを複数設置しないかぎり、多数のコンピュータや周辺機器から発生する熱を充分放熱することができず、その設備にコストがかかって不経済であるといった問題点があった。
【０００４】
そこで本発明は、ラックを形成するパネル自体に放熱機能を付与させることによって、通気孔や換気扇を設けることなく効果的にラック内部の熱を外部に放散することができるようにし、これにより前記した従来課題を克服した新規なサーバーラックを提供することを主たる目的とするものである。
【０００５】
【課題を解決するための手段】
上記目的を達成するために、本発明では次のような技術的手段を講じた。即ち本発明に係るサーバーラックにあっては、正面パネル１、背面パネル２並びに左右側面パネル３，４が天板５及び台板６と共に内部密閉状に立方体に組み付けられ、内部にラック９が組み込まれて使用されるサーバーラックであって、前記各パネル１，２，３，４がその外表面に多数の放熱フインＡを備えた軽金属板材で形成され、少なくとも正面パネル１が隣接する左右側面パネル３，４の何れか一方に対してヒンジ部材８を介して縦軸の周りで回動可能に連結されて実質的な扉を形成している構造とした。
【０００６】
これにより、内部に収納されたコンピュータや周辺機器から発生する熱は各パネルに形成された放熱フインＡから外部に放散され、サーバーラック内の温度上昇を効果的に抑えることができる。また換気のための通気孔や換気扇を設ける必要がないから内部の密閉構造を完全に維持することができると共に、低コストで製作できて経済的である。
【０００７】
前記した前記各パネル１，２，３，４はアルミ引抜き材で形成するのがよい。これにより安価に且つ容易に放熱フインＡを備えた同一形状のパネル材を製作することができる。また、各パネル１，２，３，４の左右両端部に連結部Ｂ…を形成してコーナー部材７やヒンジ部材８に着脱自在に嵌合連結する構造とするのが好ましい。これによりビス等を使用することなくコーナー部材７やヒンジ部材８に簡単に連結することができる。
【０００８】
【発明の実施の形態】
以下本発明の第１の実施例を図１〜図７に基づき説明する。図１は天板を除いた状態の平面図、図２は全体の縦断正面図、図３は組立状態の正面図、図４は平面図、図５は台板の平面図、図６は要部の拡大断面図、図７は更なる拡大断面図である。
【０００９】
この実施例に示したサーバーラックは正面パネル１、背面パネル２並びに左右側面パネル３，４が天板５及び台板６と共に内部を密閉とした状態で立方体状に組み付けられており、内部にラック９が組み込まれている。
【００１０】
前記各パネル１，２，３，４はその外表面に溝の深い凹凸波形を形成する多数の放熱フインＡを備えている。この放熱フインＡを備えた各パネルはアルミ引抜き材により容易に製作することが可能である。また本実施例にあっては、前記正面パネル１並びに背面パネル２が隣接する左右側面パネル３，４に対してヒンジ部材８を介して縦軸の周りで回動可能に連結されていて実質的な扉を形成している。
【００１１】
前記各パネル１，２，３，４の左右両端部に連結部Ｂ…が設けられており、左右側面パネル３，４の一端がヒンジ部材８，８に、他端がコーナー部材７，７に前記連結部Ｂを介して連結されている。また実質的な扉となる正面パネル１並びに背面パネル２の一端は連結部Ｂを介してヒンジ部材８，８に連結されており、他端部、即ち遊端部には扉錠１０やハンドル１１を有する端板１２が前記連結部Ｂを介して連結されている。
【００１２】
天板５の下面並びに台板６の上面には、四方の縁部に沿って垂直な取付けリブ５ａ，６ａが設けられており、この取付けリブ５ａ，６ａの内面に図２に示すようにラック９がビス止めされている。また前記正面パネル１、背面パネル２並びに左右側面パネル３，４も前記取付けリブ５ａ，６ａの外面に沿って配置されている。この左右側面パネル３，４の固定は前記取付けリブ５ａ，６ａに直接ビス止めしてもよいが、本実施例では図に示すように左右側面パネル３，４に縦方向に貫通する孔３ｂ，４ｂを設けて天板５並びに台板６に開けた挿通穴５ｂ，６ｂから前記孔３ｂ，４ｂに固定ピン（図示せず）を挿入して固定されている。これにより左右側面パネル３，４の組付けを容易に行うことができる。尚、前記コーナー部材７やヒンジ部材８も同様に上下に貫通する孔７ｂ，８ｂが設けられ、天板５並びに台板６に開けた挿通穴５ｂ，６ｂから前記孔７ｂ，８ｂに固定ピン（図示せず）を挿入して固定されている。尚、図４において符号５ｃは天板５に設けられた蓋板を示すものでビスで止着されている。
【００１３】
上記の如く構成されたサーバーラックはメインコンピュータや関連機器を内部のラック９に収納して使用される。収納されたコンピュータや周辺機器から発生する熱は各パネル１，２，３，４に形成された放熱フインＡから外部に放散されてラック内の温度上昇を効果的に抑えることができる。また換気のための通気孔や換気扇を設ける必要がないから内部の密閉構造を完全に維持することができて埃等の流入を阻止することができる。
【００１４】
上記実施例において、正面パネル１、背面パネル２並びに左右側面パネル３，４を夫々一枚のパネル材で形成したが、図８並びに図９に示すように２枚のパネル材をジョイント部Ｃを介してジョイントして形成することも可能である。この場合、ジョイントされるパネル材を予め所定の規格に沿ってその長さを設定しておけば、希望する長さのパネル材を選択することによってサーバーラックの容量を変更することができよう。勿論この場合、天板５並びに台板６も予め規格に沿って各種サイズの異なるものを用意しておくことが必要である。
【００１５】
以上本発明の代表的な実施例について説明したが、本発明は必ずしも上記実施例構造のみに限定されるものでない。例えば上記したヒンジ部材８の構造や形態並びに各パネルの連結部Ｂの形態を変えて実施することも可能である。その他本発明ではその構成要件を備え、且つ効果を有する範囲内で適宜変更して実施できることは勿論である。
【００１６】
【発明の効果】
本発明は上記のごとく構成したものであるから、内部に収納されたコンピュータや周辺機器から発生する熱は収納空間を構成する四方のパネルから放熱フインを介して外部に効果的に放散されてサーバーラック内の温度上昇を有効に抑えることができ、従って、換気のための通気孔や換気扇を設ける必要がないからコストの低減化を図ることができて経済的であり、しかも内部の密閉構造を確保できるから埃等の侵入を確実に防止することができるといった優れた効果がある。
【図面の簡単な説明】
【図１】本発明に係るサーバーラックの第１の実施例を示す天板を除去した状態の平面図。
【図２】上記サーバーラックの縦断面図。
【図３】上記サーバーラックの正面図。
【図４】上記サーバーラックの平面図。
【図５】上記サーバーラックにおける台板の平面図。
【図６】上記サーバーラックの要部の拡大断面図。
【図７】上記サーバーラックのヒンジ部分を更に拡大した断面図。
【図８】本発明に係るサーバーラックの第２の実施例を示す図１同様の横断面図。
【図９】上記第２の実施例におけるパネル材ジョイント部の拡大断面図。
【符号の説明】
１　正面パネル
２　背面パネル
３　左側面パネル
４　右側面パネル
５　天板
６　台板
７　コーナー部材
８　ヒンジ部材
Ａ　放熱フイン
Ｂ　連結部
【図１】
2004079851.tif 000003
【図２】
2004079851.tif 000004
【図３】
2004079851.tif 000005
【図４】
2004079851.tif 000006
【図５】
2004079851.tif 000007
【図６】
2004079851.tif 000008
【図７】
2004079851.tif 000009
【図８】
2004079851.tif 000010
【図９】
2004079851.tif 000011